(57)【要約】【課題】  原稿給送前に大きなカールや折り目がついた原稿のカールや折り目を軽減させることで、紙詰まりをなくし、且つ、原稿セットの容易性も損なわない原稿供給装置を提供する。【解決手段】  上下２枚の原稿ガイドと、原稿を１枚ずつ分離搬送する機構を有する原稿給送装置において、上側原稿ガイドが、分離搬送する機構近傍であるところの上側固定原稿ガイドと、その他の上側可動原稿ガイドに分割され、両者のガイドで原稿上面のほぼ全面をガイドする。【選択図】  図１
2006056614.tif 000002
【特許請求の範囲】
【請求項１】
原稿を載置する下ガイドと、下ガイド上に載置された原稿上面をガイドする上ガイドとを備えた原稿ガイドを備えた原稿給送装置において、
上ガイドは、上側固定ガイドと、上側可動ガイドとを備え、下側固定ガイドと上側可動ガイドによって下ガイド上の原稿上面のほぼ全面をガイドすることを特徴とする原稿給送装置。
【請求項２】
請求項１に記載の原稿給送装置において、上側可動原稿ガイドと上側固定原稿ガイドとがヒンジで連結され、上側可動ガイドが開閉式であることを特徴とする原稿給送装置。
【請求項３】
請求項１に記載の原稿給送装置において、上側可動原稿ガイドが取り外し可能であることを特徴とする原稿給送装置。
【請求項４】
請求項２に記載の原稿給送装置において、上側可動原稿ガイドが２枚以上に分割され、各分割片同志をヒンジで連結することにより、折りたたむことができることを特徴とする原稿給送装置。
【請求項５】
請求項４に記載の原稿給送装置において、上側可動原稿ガイドを開放した時に、原稿送り装置外面に沿って折れ曲がる大きさになっていることを特徴とする原稿給送装置。
【請求項６】
請求項５に記載の原稿給送装置において、原稿給送装置外面にホルダーを有し、折りたたんだ上側可動原稿ガイドをホルダーに収納することを特徴とする原稿給送装置。
【請求項７】
請求項１の原稿給送装置において、上側可動原稿ガイドが透明であることを特徴とする原稿給送装置。
【発明の詳細な説明】
【技術分野】
【０００１】
本発明は、電子写真複写機や画像読み取り装置の周辺機器である原稿自動給送装置に関するものである。
【背景技術】
【０００２】
従来技術として、カールしたり耳折れした原稿を給送する際に、原稿を外方向へ伸ばし、誘導するようなガイドリブを原稿ガイドに設置する技術が知られている（例えば、特許文献１参照）。この技術により、軽微なカールは伸ばされて平らになり、紙詰まりすることなく給送することは可能であるものの、円筒に近いような大きくカールしてしまっている原稿に対しての補正効果はない。よって、大きなカールや折れのついた原稿は、原稿セット前に手で癖を取る作業が必要となってしまう。
【特許文献１】特許第３０７８３３６号
【発明の開示】
【発明が解決しようとする課題】
【０００３】
従来の原稿給送装置にあっては、図４に示す様に、原稿先端を位置決めする先端レジスト爪１０１の通紙上流側に、搬送ガイドとして上ガイド１０２と下ガイド１０３が設置されている。そして上ガイド１０２は、Ｂ５縦サイズからＡ３縦原稿サイズの全サイズの原稿に対してセットしなければならない。しかも、セットした原稿上面に手を置くスペースを確保するため、上ガイド１０２は先端レジスト爪１０１から約８０ｍｍまでの位置までしかガイドしていない。また上ガイド１０２のテーパー部と下ガイド１０３との間で形成される開口部１０４（原稿通過部）は、通紙方向１０５に対し徐々に狭くなるように形成されている。
ここで、カールや折れのついた原稿をセットすると、原稿セット時には上ガイド１０２によって抑えられていない原稿部分にあるカールや折れが補正できず残ったままとなってしまう。多少の折り目やカールのついた原稿は、開口部１０４を原稿が通過する際に徐々に狭くなる形状によって平らに補正され、原稿は詰まることなく送られる。しかしながら、図４に示す様な大きな折り目のついた原稿１０６や、大きなカールのついた原稿１０７の場合は、原稿が搬送される際に、そのカールや折り目部が上ガイド１０２に強くぶつかり、補正される間もなく給送されて紙詰まりとなってしまうという問題がある。
特に、Ａ３紙の様な大きな原稿（先端レジスト爪から原稿後端まで４２０ｍｍ）において問題が多発する。それを回避するためには、折り目やカールを原稿セット前に手作業で直すのであるが、一度癖のついた紙類はなかなか直らないため厄介な作業となる。加えて、ある程度変形が直ったと思い原稿をセットし送ってみると、実は十分に直っておらず紙詰まりになってしまい、大切な原稿を破損してしまうという問題が出てくる。
斯かる問題に対して、上ガイドの長さを長くして原稿給送前にカールや折り目を軽減させることが有効な手段であるが、上ガイドを現行より長くするとＢ５等の小サイズ原稿をセットするとき完全に上ガイドに隠れてしまい、１）原稿が見えない、２）手が入らない、３）正規の位置にセットできたか目視確認できない、４）原稿セットの際に折り目やカール癖を直しながらセットしなければならず非常にその作業が困難である、等の問題が発生してしまい、原稿セットの容易性を著しく損ね、実用には不向きなものになる。
前述の、特許第３０７８３３６号の様な、カールしたり耳折れした原稿を給送する際に、原稿ガイドを外方向へ伸ばし、誘導するようなガイドリブを設置する方法では、軽微なカールは平らに補正されうまく給送することは可能であるが、やはり、大きなカールのついた原稿に対しての補正効果は十分ではなく、上記と同様の不具合がある。
そこで本発明は、上述した実情を考慮してなされたもので、原稿給送前に大きなカールや折り目がついた原稿のカールや折り目を軽減させることで、紙詰まりをなくし、且つ、原稿セットの容易性も損なわない原稿給送装置を提供することを目的とする。
【課題を解決するための手段】
【０００４】
上記の課題を解決するために、請求項１に記載の発明は、原稿を載置する下ガイドと、下ガイド上に載置された原稿上面をガイドする上ガイドとを備えた原稿ガイドを備えた原稿給送装置において、上ガイドは、上側固定ガイドと、上側可動ガイドとを備え、下側固定ガイドと上側可動ガイドによって下ガイド上の原稿上面のほぼ全面をガイドすることを特徴とする。したがって、原稿セット時には上側可能原稿ガイドを解放あるいは取りはずして作業するため、原稿セットの妨げにはならず作業が容易である。そして、原稿セット後上側可能原稿ガイドをセットして、原稿の大きなカールや折り目を軽減させるので、それによる紙詰まりが発生することを防止できる。
請求項２に記載の発明は、請求項１に記載の原稿給送装置において、上側可動原稿ガイドと上側固定原稿ガイドがヒンジで連結され、上側可動ガイドが開閉式である原稿給送装置を主要な特徴とする。したがって、原稿セット後、カールや紙折れを補正するための上側可動原稿ガイドのセット作業がスムースで作業性を良くできる。
請求項３に記載の発明は、請求項１に記載の原稿給送装置において、上側可動原稿ガイドが取り外し可能である原稿給送装置を主要な特徴とする。したがって、カールや耳折れの少ない原稿ばかりを扱うユーザーは、上側可動原稿ガイドを取り外して保管し、使用時のみ取り付けることができる。
請求項４に記載の発明は、請求項２に記載の原稿給送装置において、上側可動原稿ガイドが２枚以上に分割され、それぞれをヒンジで連結することにより、折りたたむことができる原稿給送装置を主要な特徴とする。したがって、上側可動原稿ガイド使用時は原稿の大きさによってガイドを閉じる面積を使い分け原稿セット作業を容易にし、不使用時は、それを開放し、折りたたんでスペースを少なく収納できる。
請求項５に記載の発明は、請求項４に記載の原稿給送装置において、上側可動原稿ガイドを開放時に原稿送り装置外面に沿って折れ曲がる大きさになっている原稿給送装置を主要な特徴とする。したがって、上側可動原稿ガイド不使用時は、原稿送り装置外面に沿って折りたたんでおくことで、省スペース化でき、コピー作業の妨げになることはない。
請求項６に記載の発明は、請求項５に記載の原稿給送装置において、原稿給送装置外面にホルダーを有し、折りたたんだ上側可動原稿ガイドをホルダーに収納する原稿給送装置を主要な特徴とする。したがって、原稿給送装置全体の開閉作業をする場合の妨げになることはないようにできる。
請求項７に記載の発明は、請求項１の原稿給送装置において、上側可動原稿ガイドが透明である原稿給送装置を主要な特徴とする。したがって、上側可動原稿ガイドを閉じた時、原稿の状態を確認できる。
【発明の効果】
【０００５】
本発明によれば、上側原稿ガイドが、分離搬送する機構近傍であるところの上側固定原稿ガイドと、その他の上側可動原稿ガイドに分割され、両者のガイドで原稿上面のほぼ全面をガイドしていて、原稿セット時には上側可能原稿ガイドを解放あるいは取りはずして作業するので、原稿セットの妨げにはならず作業が容易であるが上に、原稿の大きなカールや折り目を給送動作以前に軽減させ、それによる紙詰まりが発生することを防止できる。紙詰まりが減少すれば、無駄な紙の使用量が減ることによる省資源効果、無駄な電気エネルギーの減る省エネ効果がある。
本発明の原稿給送装置においては、請求項１に記載の装置において、上側可動原稿ガイドと上側固定原稿ガイドがヒンジで連結されていて、上側ガイドが開閉式であるので、原稿セット後、カールや紙折れを補正するための上側可動原稿ガイドのセット作業がスムーズで作業性を良くできる。
本発明の原稿給送装置は、請求項１に記載の装置において、上側可動原稿ガイドが取り外し可能であるので、カールや耳折れの少ない原稿ばかりを扱うユーザーは、上側可動原稿ガイドを取り外して保管し、使用時のみ取り付けることができる。
本発明の原稿給送装置は、請求項２に記載の装置において、上側可動原稿ガイドを２枚以上に折りたたむことができるので、上側可動原稿ガイド使用時は原稿の大きさによってガイドを閉じる面積を使い分け原稿セット作業を容易にし、不使用時は、それを開放し、折りたたんでスペースを少なく収納できる。
本発明の原稿給送装置は、請求項４に記載の装置において、上側可動原稿ガイドを開放時に原稿送り装置外面に沿って折れ曲がる大きさになっているので、上側可動原稿ガイド不使用時は、原稿送り装置外面に沿って折りたたんでおくことで、省スペース化でき、コピー作業の妨げにならないようにできる。
本発明の原稿給送装置は、請求項５に記載の装置において、折れ曲がった上側可動原稿ガイド原稿送り装置外面のホルダ内に収納可能であるので、原稿給送装置全体の開閉作業をする場合の妨げにならないようにできる。
本発明の原稿給送装置は、請求項１の装置において、上側可動原稿ガイドが透明であるので、上側可動原稿ガイドを閉じた時、原稿の状態を確認することができる。
【発明を実施するための最良の形態】
【０００６】
以下、図１及び２を参照しつつ本発明の原稿給送装置の実施形態を詳細に説明する。図１は原稿給送装置の上側可動ガイドを解放した状態を示す状態説明図である。図２は上側可動ガイドを閉じた状態を示す状態説明図である。
この原稿給送装置は、下ガイド３上にセットした原稿（束）の上面を上ガイド２の先端にて抑えた状態で先端レジスト爪１によって原稿先端縁を位置決めし、給紙ローラ１０によって最下部の原稿を取出し、分離ローラ１１により分離しつつ、搬送ベルトによってその直下に位置する画像形成装置（画像読取装置）側のコンタクトガラス上に搬送する構成を備えている。
本発明では、原稿ガイドとして、上ガイド２と下ガイド３を備えている。上ガイド２は、上側固定ガイド２ａと、上側固定ガイド２ａに対してヒンジ２ｃを介して開閉自在に軸支されている上側可動ガイド２ｂとを備えている。上側固定ガイド２ａはその先端のテーパー部と下ガイド３との間で開口部４を形成している。
上側固定ガイド２ａは従来方式の上側ガイドと同様に先端レジスト爪１から８０ｍｍまでガイドしている。ゆえに図１のように上側可動ガイド２ｂを解放した状態では、原稿上面部が開放されていて、原稿のセット性を損ねることはない。しかし、大きな折り目のついた原稿６や、大きなカールのついた原稿７はまだ紙癖のついたまま原稿台３上にセットされている。このまま原稿給送をスタートさせると、カールや折り目が上側固定ガイド２ａにぶつかり紙詰まりとなってしまう。
そこで、図１の状態の後、図２に示すように上側可動ガイド２ｂを閉じ、下ガイド３との間に平行な空間が確保される様にする。この状態では、上側可動ガイド２ｂは、原稿給送エリア外の部分で、下ガイド３、あるいは上側固定ガイド２ａと位置決めされている。よって、大きな折り目のついた原稿６や、大きなカールのついた原稿７は、この平行な空間内に収まることを余儀なくされ、強制的に符号６ａ及び７ａに示すように折り目やカールが軽減される。その後、給送を開始し、カールや折り目の軽減された原稿は、徐々に狭くなっている開口部４に強く当たることなく通過し、容易に平たく補正され、紙詰まりの発生はない。図１及び２においては、上側可動ガイド２ｂはヒンジ２ｃで上側固定ガイドに連結されているが、ヒンジを介さず取り外し式にしても良い。
【０００７】
図３は本発明の第２実施例である。本実施例では、上側可動ガイド２ｂが２枚以上に分割され、各分割片同士２ｂ’がヒンジ２ｃ’で連結されている。分割位置としては上側固定ガイド２ａに合わせて分割されており、上側可動ガイド２ｂの開放時に装置外側に設けたホルダー部１３へ収納されている。原稿給送装置自体が本体（コピー機等）に対し開閉式であるため、このように上側可動ガイド２ｂが装置の外側に退避するように折り畳み収納させることで装置本体の開閉作業の妨げになることはない。
このように、上側可動ガイドを透明材料にしておくことで、上側可動ガイドを閉じた時、原稿の状態が確認でき作業性が向上することになる。
【図面の簡単な説明】
【０００８】
【図１】上側可動ガイドを解放した状態を示す状態説明図である。
【図２】上側可動ガイドを閉じた状態を示す状態説明図である。
【図３】本発明の第２実施例を示す図である。
【図４】従来技術の説明のための図である。
【符号の説明】
【０００９】
１  先端レジスト爪
３  下ガイド
４  開口部
６  大きな折り目のついた原稿
７  大きなカールのついた原稿
８  上側固定ガイド
９  上側可動ガイド
１０  ヒンジ
１３  ホルダー部
【図１】
2006056614.tif 000003
【図２】
2006056614.tif 000004
【図３】
2006056614.tif 000005
【図４】
2006056614.tif 000006